(57)【特許請求の範囲】
【請求項１】
側壁に流入口、排水口を設け、内部にシリンダを有する、地中に埋設される弁箱と、その上端に接続され、地上部に延長されるパイプと、さらにその上端に接続され、側壁に流出口を有する操作部本体内を、環状パッキンを装着するピストンと、その上端に連結されるロッドと、さらにその上端に連結される操作桿とが上下動して通水、排水状態を選択し、パイプに適宜な長さの保護管を外装してなる水抜栓において、上記流出口に樹脂製継手を介して流出継手を上記保護管に接触させて接続し、上記保護管と上記パイプ、弁箱を導電体を介して通電可能に接続するとともに、少なくとも上記弁箱、パイプ、操作部本体、流出継手、保護管、導電体を金属で形成してなる電気解氷可能な地上配管型水抜栓。
【発明の詳細な説明】
【０００１】
【産業上の利用分野】
本発明は電気氷解器を使用して凍結した管内の解氷を可能にした地上配管型水抜栓に関する。
【０００２】
【従来の技術】
従来、例えば冬に水抜きを忘れて配管内を凍結させたような場合、電気氷解器を使用して解氷することが良く行われている。その際、図４のａに示すような地下配管型の水抜栓の場合は、電気氷解器のクリップ端子を蛇口Ａ、パイプＢに接続して通電すれば、弁箱Ｃを介して両者間に電流が流れ、発熱してその間の氷を融かすことが出来るが、図４のｂに示すような地上配管型の水抜栓の場合には、蛇口ＡとパイプＢを接続してもその間しか解氷できず、従って地中部分のパイプ内の氷が融けず、まして図４のｃに示すような美観性も兼ねた保護管ＤをパイプＢに外装したものにあっては全く解氷が不可能であった。
【０００３】
【発明が解決しようとする課題】
上記点に鑑み本発明は、特に図４のｃに示すような保護管を有する地上配管型水抜栓においても容易に解氷可能な構造を有せしめることを目的とする。
【０００４】
【課題を解決するための手段】
そのため本発明の水抜栓は、弁箱にパイプを介して接続される操作部本体の流出口側に、樹脂製継手を介して流出継手を保護管に接触するように接続し、保護管と弁箱、パイプを導電体を介して通電可能に接続するとともに、少なくとも上記弁箱、パイプ、操作部本体、流出継手、保護管、導電体を金属製にしてなるものである。
【０００５】
【作用】
上記構成を有しているため、流出継手と保護管、保護管と弁箱、パイプ、パイプと操作部本体は確実に金属接触しており、また、操作部本体と流出継手は金属接触していないので、例え凍結事故があっても電気氷解器の端子を蛇口と操作部本体あるいはその上端の操作蓋に接続することにより容易に解氷できるものである。
【０００６】
【実施例】
実施例について図面を参照して説明する。第１図は本発明の水抜栓の通水常態の１実施例を示しているが、１は弁箱であり、通常、凍結深度以下の地中に埋設され、下方側壁に流入口２を、上方に排水口３を有している。両者間に小径のシリンダ４と、その上端に弁座５をもうけ、排水口３の上下に大径のシリンダ６、７を設ける。８はピストンであり、下端に上記小径のシリンダ４を摺動する軟質樹脂製のカラー９と弁座５を閉塞する平パッキン１０をビス１１により離脱しないように装着する。更にその上方にシリンダ６、７を摺動する環状パッキン１２、１３を装着し、内部には、上端に流出横穴１４、環状パッキン１３と平パッキン１０間に流入横穴１５を縦穴１６に貫通して設けている。
【０００７】
弁箱１の上端にはパイプ１７を接続し、両者間に平板１８をロックナット１９により固定して位置させる。平板１８には棒状の導電体２０を２個のナット２１により固定し、その先端を保護管２２の下端にビス２３により連結される下蓋２４にねじ接続する。２５はパイプ１７により延長されて地上部に位置する操作部本体であり、側壁に流出口２６を有し、その上方にシリンダ２７を設け、更にその上方に作動用雌ねじ２８を形成する。上端に樹脂製の上蓋２９を介して操作蓋３０をねじ接続する。３１は上端に樹脂製のハンドル３２を取付け、上記作動用雌ねじ２８に螺合する操作桿であり、下端に、上記シリンダ２７を摺動するゴムリング３３を装着するロッド継手３４を回転自在に連結する。ロッド継手３４とピストン８とはロッド３５で接続され、ハンドル３２の回転をピストン８の上下動に変換するようにしている。操作部本体２５の流出口２６には樹脂製継手３６を介して流出継手３７を、操作部本体２５と流出継手３７が金属接触しないように接続する。流出継手３７の先端部にはキャップ３８をねじ接続し、保護管２２と流出継手３７が確実に金属接触するようにしている。保護管２２内部には耐寒性のための断熱材３９を挿入している。なお、上述した構成部品の内、パッキン類と樹脂製と明記されたもの以外は通常、金属を使用する。
【０００８】
図１は通水状態を示しており、流入口２からの水は弁座５とビス１１の間隙を通って流入横穴１５から縦穴１６に入り込み、流出横穴１４からパイプ１７内に噴出し、操作部本体２５の流出口２６を通って、図示しないが流出継手３７に接続される蛇口から放水されている。この状態では環状パッキン１２、１３がシリンダ６、７に密着しており、排水口３からの漏水はなく、また、ゴムリング３３がシリンダ２７に密着しているため、その部分から上方への漏水はない。
この状態から、冬、水を抜く時には、ハンドル３２を回して操作部本体２５の作動用雌ねじ２８に螺合する操作桿３１を下降させればよく、ロッド継手３４は回転することなく下降し、ロッド３５に接続されたピストン８も下降し始める。まず、カラー９が小径のシリンダ４に密着して流入口２からの水を遮断し、その後で環状パッキン１２がシリンダ６から下方に離脱してパイプ１７内の水は排水口３から地中に排出し始め、最終的には平パッキン１０が弁座５に圧接されて完全止水状態になる。なお、図示しないが排水口３には逆止弁が取り付けられており、地中の汚水が弁箱１内に入り込まないようにしている。
【０００９】
次に、図の通水状態のまま水抜きしないで、あるいは排水状態で蛇口を開け忘れるなどしてパイプ１７内の水が凍結した場合には、電気氷解器のクリップ端子を蛇口と操作蓋３０にはさんで通電すればよく、蛇口にプラス側クリップ端子をはさんだ場合には、電流は流出継手３７、保護管２２、下蓋２４、導電体２０
、平板１８、パイプ１７、操作部本体２５、操作蓋３０を通ってマイナス側のクリップ端子へと流れ、発熱し始める。一定時間後には蛇口から操作蓋３０に至るまで解氷が進み、通水が可能になる。弁箱１のシリンダ６、７にピストン８が接触している場合にはロッド３５も加熱され、解氷はより促進される。通常、保護管２２の長さは一定にしているため、導電体２０の長さはその箇所の凍結深度によって異なるが、いずれにしても例えば下蓋２４の内径を小さくしてパイプ１７に接触させただけではそれ以下の部分の解氷ができず、導電体２０は必需品となる。
【００１０】
次に図２の実施例について説明するが、図１のものとの相違点は以下の通りでる。すなわち、弁箱１は流入口２の上下に亘って同径の３個のシリンダ６、７、４を設け、側壁にシリンダ４の下方からシリンダ６の上方に連通する流路４０を形成する。ピストン８には上記シリンダ６、７、４をそれぞれ摺動する３個の環状パッキン１２、１３、９’を装着する。保護管２２と弁箱１にそれぞれボルト４１、ナット４２およびボルト４３で接続される電気コードからなる導電体２０により両者を電気的に接続し、保護管２２の下蓋２４を樹脂製、上蓋２９を金属製にしている。操作部本体２５と操作蓋３０間に上蓋２９を囲むように、端部を切り離した、樹脂製の弾性環４４を装着し、操作部本体２５および操作蓋３０と上蓋２９が金属接触して大部分の電流がそこからマイナス端子に流れ込み、パイプ１７が加熱しない、ということのないようにしている。操作蓋３０は上部に平坦部４５をもうけ、その上方に図３の如く、２個の支持腕４６と内側突起４７を設けている。４８はカムハンドルであり、平坦部４５と内側突起４７により上下動を制限された２個の円盤を有するカム部４９とハンドル部３２とからなる。カムハンドル４８と操作桿３１はピン５０で連結され、カムハンドル４８の垂直方向の回転により上下動するようにしている。操作部本体２５の側壁外方から樹脂製継手３６を介して流出継手３７をねじ接続し、図１のキャップ３８を省略している。
【００１１】
図の通水状態では流入口２からの水は流路４０を通ってパイプ１７へと流れているが、この状態から排水状態にする時は、カムハンドル４８を図で右方向に回していくと、ピン５０に連結された操作桿３１も下降し、まず、ピストン８の環状パッキン９’がシリンダ４に密着して流入口２からの水を遮断し、その後で環状パッキン１２がシリンダ６から離脱してパイプ１７内の水は排水口３から排出し始め、最終的にはカムハンドル４８は１８０゜回転して停止し、完全止水状態になる。電気氷解器を使用するとき、蛇口と操作蓋３０にクリップ端子をはさんで通電するのは同じであるが、本実施例においては弁箱１自体も完全に加熱され、万一、埋設が浅いなどで弁箱凍結を起こした場合でも、解氷してピストン８の引き抜き、点検が容易に行えるという利点がある。流出継手３７に直接蛇口を接続せず、配管で戸外から屋内まで引き込み、蛇口をとりつけることもあるが、解氷方法は全く同様である。
【００１２】
【発明の効果】
上述したように本発明においては、保護管２２とパイプ１７あるいは弁箱１とは導電体２０を介して確実に金属接触しており、操作部本体２５と流出継手３７とを非金属接続させているため、従来できなかった保護管を装着した地上配管型の水抜栓においても、電気氷解器を使用して容易、かつ確実に解氷できるものである。
【図面の簡単な説明】
【図１】本発明の水抜栓の１実施例を示す、通水状態における縦断面図である。。
【図２】本発明の水抜栓の他の実施例を示す、同じく通水状態における縦断面図である。
【図３】図２の操作部の直角方向の断面図である。
【図４】水抜栓の設置概略図である。
【符号の説明】
１                    弁箱
２                      流入口
３                      排水口
４、６、７、２７      シリンダ
５                                弁座
８                              ピストン
１２、１３、９’                環状パッキン
１７                                パイプ
２０                                導電体
２２                                保護管
２５                                        操作部本体
２６                                        流出口
３０                                        操作蓋
３１                                  操作桿
３２                                        ハンドル
３５                                        ロッド
３６                                        樹脂製継手
３７                                        流出継手
【図１】
0003591018.tif 000002
【図２】
0003591018.tif 000003
【図３】
0003591018.tif 000004
【図４】
0003591018.tif 000005